(57)【要約】  無線通信方法及び無線通信装置を開示する。当該無線通信装置は、処理回路を含み、前記処理回路は、無認可周波数帯域の特定のサブチャネルでブロードキャスト情報を検出し、ブロードキャスト情報の検出に成功できない場合に、前記特定のサブチャネルで時間情報をブロードキャストするように配置され、前記時間情報に基づいて前記無線通信装置の前記特定のサブチャネルに対する占用の終了時間を確定することができる。
2020526056.tif 000002
【特許請求の範囲】
【請求項１】
無線通信装置であって、
無認可周波数帯域の特定サブチャネルでブロードキャスト情報を検出し、
ブロードキャスト情報の検出に成功できない場合に、前記特定サブチャネルで時間情報をブロードキャストするように配置される処理回路を含み、
前記時間情報に基づいて、前記無線通信装置の前記特定サブチャネルに対する占用の終了時間を確定することができる、
無線通信装置。
【請求項２】
前記処理回路はさらに、
ブロードキャスト情報の検出に成功できない場合に、署名ドメインリソースを選択して、前記特定サブチャネルでアップリンク伝送を実行する、
ように配置される請求項１に記載の無線通信装置。
【請求項３】
前記処理回路はさらに、
ブロードキャスト情報の検出に成功できない場合に、前記特定サブチャネルにおける信号エネルギーを検出して前記特定サブチャネルがアイドルであるかどうかを確定し、
前記特定サブチャネルがアイドルであると確定したときに、前記時間情報をブロードキャストし、選択した署名ドメインリソースを利用してアップリンク伝送を実行する、
ように配置される請求項２に記載の無線通信装置。
【請求項４】
時間情報をブロードキャストすることは、
前記時間情報に指示される終了時間の前に、前記時間情報を周期的にブロードキャストすること、
を含む請求項１に記載の無線通信装置。
【請求項５】
前記処理回路はさらに、
署名ドメインリソースライブラリから選択された署名ドメインリソースを除去することで、利用可能な署名ドメインリソースを確定し、
前記利用可能な署名ドメインリソースをブロードキャストする、
ように配置される請求項２に記載の無線通信装置。
【請求項６】
前記処理回路はさらに、
前記時間情報に指示される終了時間の前に、
更新された利用可能な署名ドメインリソースを基地局から受信し、
前記更新された利用可能な署名ドメインリソースをブロードキャストする、
ように配置される請求項５に記載の無線通信装置。
【請求項７】
無線通信装置であって、
無認可周波数帯域の特定のサブチャネルでブロードキャスト情報を検出し、
前記特定サブチャネルで前記ブロードキャスト情報の検出に成功した場合に、１つ又は複数の利用可能な署名ドメインリソースから１つの署名ドメインリソースを選択してアップリンク伝送を実行する、
ように配置される処理回路を含む無線通信装置。
【請求項８】
前記処理回路はさらに、
前記１つ又は複数の利用可能な署名ドメインリソースを基地局から取得するか、又は、
前記ブロードキャスト情報に基づいて、前記１つ又は複数の利用可能な署名ドメインリソースを確定する、
ように配置される請求項７に記載の無線通信装置。
【請求項９】
端末装置によって実行される無線通信方法であって、
無認可周波数帯域の特定サブチャネルでブロードキャスト情報を検出することと、
ブロードキャスト情報の検出に成功できない場合に、前記特定サブチャネルで時間情報をブロードキャストすることと、
を含み、
前記時間情報に基づいて、前記端末装置の前記特定サブチャネルに対する占用の終了時間を確定することができる、
無線通信方法。
【請求項１０】
ブロードキャスト情報の検出に成功できない場合に、署名ドメインリソースを選択して、前記特定サブチャネルでアップリンク伝送を実行すること、
をさらに含む請求項９に記載の無線通信方法。
【請求項１１】
ブロードキャスト情報の検出に成功できない場合に、前記特定サブチャネルにおける信号エネルギーを検出して、前記特定サブチャネルがアイドルであるかどうかを確定することと、
前記特定サブチャネルがアイドルであると確定したときに、前記時間情報をブロードキャストし、選択した署名ドメインリソースを利用してアップリンク伝送を実行することと、
をさらに含む請求項１０に記載の無線通信方法。
【請求項１２】
端末装置によって実行される無線通信方法であって、
無認可周波数帯域の特定のサブチャネルでブロードキャスト情報を検出することと、
前記特定サブチャネルで前記ブロードキャスト情報の検出に成功した場合に、１つ又は複数の利用可能な署名ドメインリソースから１つの署名ドメインリソースを選択してアップリンク伝送を実行することと、
を含む無線通信方法。
【請求項１３】
前記１つ又は複数の利用可能な署名ドメインリソースを基地局から取得するか、又は、
前記ブロードキャスト情報に基づいて前記１つ又は複数の利用可能な署名ドメインリソースを確定すること、
をさらに含む請求項１２に記載の無線通信方法。
【請求項１４】
無線通信装置であって、
無認可周波数帯域の特定のサブチャネルで、アップリンク伝送及び時間情報を受信し、前記時間情報に基づいて特定端末装置の前記特定サブチャネルに対する占用の終了時間を確定することができ、
前記終了時間の前に、前記アップリンク伝送に使用される署名ドメインリソースに基づいて、利用可能な署名ドメインリソースを更新する、
ように配置される処理回路を含む無線通信装置。
【請求項１５】
前記処理回路はさらに、
署名ドメインリソースライブラリから前記アップリンク伝送に使用される署名ドメインリソースを除去することによって、更新後の利用可能な署名ドメインリソースを確定する、
ように配置される請求項１４に記載の無線通信装置。
【請求項１６】
前記処理回路はさらに、
前記終了時間の前に、認可周波数帯域において、更新後の利用可能な署名ドメインリソースをブロードキャストする、
ように配置される請求項１４に記載の無線通信装置。
【請求項１７】
前記処理回路はさらに、
前記終了時間の前に、認可周波数帯域において、更新後の利用可能な署名ドメインリソースを前記特定端末装置に送信する、
ように配置される請求項１４に記載の無線通信装置。
【請求項１８】
基地局によって実行される無線通信方法であって、
無認可周波数帯域の特定サブチャネルで、アップリンク伝送及び時間情報を受信し、前記時間情報に基づいて特定の端末装置の前記特定サブチャネルに対する占用の終了時間を確定することができることと、
前記終了時間の前に、前記アップリンク伝送に使用される署名ドメインリソースに基づいて、利用可能な署名ドメインリソースを更新することと、
を含む無線通信方法。
【請求項１９】
署名ドメインリソースライブラリから前記アップリンク伝送に使用される署名ドメインリソースを除去することによって、更新後の利用可能な署名ドメインリソースを確定すること、
をさらに含む請求項１８に記載の無線通信方法。
【請求項２０】
前記終了時間の前に、認可周波数帯域において、更新後の利用可能な署名ドメインリソースをブロードキャストすること、
をさらに含む請求項１８に記載の無線通信方法。
【請求項２１】
前記終了時間の前に、認可周波数帯域において、更新後の利用可能な署名ドメインリソースを前記特定端末装置に送信すること、
をさらに含む請求項１８に記載の無線通信方法。
【請求項２２】
プログラムが記憶されるコンピュータ可読記憶媒体であって、
前記プログラムが実行されるときに、請求項９〜１３、１８〜２１のいずれか１項に記載の無線通信方法をコンピュータに実現させるコンピュータ可読記憶媒体。
【発明の詳細な説明】
【技術分野】
【０００１】
本発明は、無線通信方法及び無線通信装置に関し、具体的に、無認可周波数帯域において非直交多重アクセスをサポートする方法及び装置に関する。
【背景技術】
【０００２】
非直交多重アクセス（ＮＯＭＡ）は、第５世代（５Ｇ）無線通信ネットワークにとって、非常に有望な多重アクセス技術である。従来の直交多重アクセス技術(ＯＭＡ)では、１つの伝送リソース（例えば周波数リソース又は時間リソース）は１つのユーザー装置にしか割り当てることができず、ＮＯＭＡでは、１つのリソースを複数のユーザー装置に割り当てて使用することができる。ＮＯＭＡ技術の基本的な考えは、送信側で非直交伝送を使用して、干渉情報を積極的に導入し、受信側でシリアル干渉除去によって正確的な復調を実現することである。そのため、従来のＯＭＡと比べると、ＮＯＭＡはより高いスペクトル效率及びユーザーの公平性を持っている。ＮＯＭＡでは、異なるユーザー装置が、同じ伝送リソースを使用することができるので、送信側で多重アクセス（ＭＡ）署名を使用して異なるユーザー装置を区別し、即ち、各ユーザー装置は、信号を送信するために唯一のＭＡ署名を利用する。ＭＡ署名は例えば、コードブック、シーケンスなどの形態であってもよい。
【発明の概要】
【発明が解決しようとする課題】
【０００３】
認可周波数帯域におけるアップリンク伝送に対して、ＮＯＭＡは、５Ｇの新しいラジオ（ＮＲ）によってサポートでき、即ち、複数のユーザー装置は、同じリソースブロックを使用してアップリンク信号を送信することができる。しかしながら、無認可周波数帯域において、ＬＢＴ（Ｌｉｓｔｅｎ  Ｂｅｆｏｒｅ  Ｔａｌｋ）のメカニズムによって、ＮＯＭＡはアップリンク上で実現することができない。
【０００４】
そのため、無認可周波数帯域におけるアップリンク伝送に対してＮＯＭＡを実現するニーズがある。
【課題を解決するための手段】
【０００５】
そこで、本発明は、無認可周波数帯域においてアップリンク非直交多重アクセスを実現することができる技術的解決策を提供する。
【０００６】
本発明の一態様によれば、処理回路を含む無線通信装置を提供し、前記処理回路は、無認可周波数帯域の特定サブチャネルでブロードキャスト情報を検出し、ブロードキャスト情報の検出に成功できない場合に、前記特定サブチャネルで時間情報をブロードキャストするように配置され、前記時間情報に基づいて前記無線通信装置の前記特定サブチャネルに対する占用の終了時間を確定することができる。
【０００７】
本発明の他の態様によれば、処理回路を含む無線通信装置を提供し、前記処理回路は、無認可周波数帯域の特定サブチャネルでブロードキャスト情報を検出し、前記特定サブチャネルで前記ブロードキャスト情報の検出に成功した場合に、１つ又は複数の利用可能な署名ドメインリソースから１つの署名ドメインリソースを選択してアップリンク伝送を実行するように配置される。
【０００８】
本発明の他の態様によれば、端末装置によって実行される無線通信方法を提供し、無認可周波数帯域の特定サブチャネルでブロードキャスト情報を検出することと、ブロードキャスト情報の検出に成功できない場合に、前記特定サブチャネルで時間情報をブロードキャストすることとを含み、前記時間情報に基づいて前記端末装置の前記特定サブチャネルに対する占用の終了時間を確定することができる。
【０００９】
本発明の他の態様によれば、端末装置によって実行される無線通信方法を提供し、無認可周波数帯域の特定サブチャネルでブロードキャスト情報を検出することと、前記特定サブチャネルで前記ブロードキャスト情報の検出に成功した場合にに、１つ又は複数の利用可能な署名ドメインリソースから１つの署名ドメインリソースを選択してアップリンク伝送を実行することとを含む。
【００１０】
本発明の他の態様によれば、処理回路を含む無線通信装置を提供し、前記処理回路は、無認可周波数帯域の特定サブチャネルでアップリンク伝送及び時間情報を受信し、前記時間情報に基づいて特定端末装置の前記特定サブチャネルに対する占用の終了時間を確定することができ、前記終了時間の前に、前記アップリンク伝送に使用される署名ドメインリソースに基づいて利用可能な署名ドメインリソースを更新するように配置される。
【００１１】
本発明の他の態様によれば、基地局によって実行される無線通信方法を提供し、無認可周波数帯域の特定サブチャネルでアップリンク伝送及び時間情報を受信し、前記時間情報に基づいて特定端末装置の前記特定サブチャネルに対する占用の終了時間を確定することができ、前記終了時間の前に、前記アップリンク伝送に使用される署名ドメインリソースに基づいて利用可能な署名ドメインリソースを更新するように配置される。
【００１２】
本発明の他の態様によれば、プログラムが記憶されるコンピュータ可読記憶媒体を提供し、前記プログラムが実行されるときに、上記の無線通信方法をコンピュータに実現させる。
【図面の簡単な説明】
【００１３】
本発明は、添付の図面と結合して記載する以下の説明を参照することによってより良く理解でき、全ての図面において、同一又は類似の符号を使用して同一又は類似の部材を表す。添付の図面は以下の詳細的な説明と共に本明細書に含まれかつ本明細書の一部を形成し、そして、本発明の最適な実施例をさらに説明し、本発明の原理及び利点を解釈するためのものである。
【００１４】
【図１Ａ】本発明の実施例による電子装置の無線通信方法のフローチャートを概略的に示す。
【図１Ｂ】本発明の第１の実施例による処理フローチャートを示す。
【図２】本発明の第１の実施例によるシグナリングインタラクティブ図を概略的に示す。
【図３】本発明の第２の実施例による処理フローチャートを示す。
【図４】本発明の第２の実施例によるシグナリングインタラクティブ図を概略的に示す。
【図５】ユーザー装置の一例の概略配置ブロック図を示す。
【図６】基地局の一例の概略配置ブロック図を示す。
【図７】コンピュータのハードウェアの概略配置ブロック図を示す。
【発明を実施するための形態】
【００１５】
図１Ａは、本発明に係るユーザー装置によって実行される処理を概略的に示す。図１Ａに示すように、ユーザー装置ＵＥのアップリンク伝送データの準備ができた場合に、ユーザー装置ＵＥはステップＳ１０で、無認可周波数帯域のうち１つ又は複数のサブチャネルにおいてブロードキャスト情報の検出を試みる。そして、ステップＳ２０では、あるサブチャネルに対して、ユーザー装置ＵＥは、ブロードキャスト情報の検出に成功していないと確定する。ここで、「ブロードキャスト情報の検出に成功する」とは当該サブチャネルにおいてブロードキャスト情報が存在しかつユーザー装置がブロードキャスト情報のデコードに成功する場合を指し、「ブロードキャスト情報の検出に成功していない」とは、当該サブチャネルにおいてブロードキャスト情報が存在しない場合と、ブロードキャスト情報が存在するがユーザー装置がブロードキャスト情報のデコードに成功できない場合とを含む。ユーザー装置ＵＥがブロードキャスト情報の検出に成功していない場合に、ユーザー装置ＵＥは、ステップＳ３０で、その自身が当該サブチャネルにアクセスする１番目の装置であると確定し、当該サブチャネルでブロードキャストし、ブロードキャストする情報は、当該ユーザー装置ＵＥが当該サブチャネルを占用することができる期間の終了時間を含む。
【００１６】
図１Ｂは、本発明の第１の実施例によるユーザー装置によって実行される処理を詳細的に示した。図１Ｂに示すように、ユーザー装置ＵＥのアップリンク伝送データの準備ができた場合に、ユーザー装置ＵＥは、ステップＳ１１０に示すように、無認可周波数帯域において１つ又は複数のサブチャネルを選択し、選択されたサブチャネルにおいてブロードキャスト情報の検出をを試みる。一例として、ユーザー装置ＵＥは、無認可周波数帯域における１つ又は複数のサブチャネルをランダムに選択する。別の例として、当該サブチャネルは、ユーザー装置ＵＥによって選択されず、基地局によってユーザー装置ＵＥに半静的に割り当てられる。
【００１７】
ユーザー装置ＵＥがステップＳ１２０で、当該サブチャネルでブロードキャスト情報の検出に成功していないと確定した後、ユーザー装置はさらに、当該サブチャネルがアイドルであるかどうかを確定することができ、そのため、処理はステップＳ１３０に進む。
【００１８】
ステップＳ１３０では、ユーザー装置ＵＥはＬＢＴを実行して、当該サブチャネルがアイドルのサブチャネルであるかどうかを判断する。例えば、ユーザー装置ＵＥは、当該サブチャネルにおける信号エネルギーを検出することによって当該サブチャネルがアイドルであるかどうかを確定することができる。ステップＳ１４０では、当該サブチャネルがアイドルである（例えば、信号エネルギーが特定の閾値よりも小さい）と確定したときに、処理はステップＳ１５０に進む。
【００１９】
ステップＳ１５０では、ユーザー装置ＵＥは当該サブチャネルでブロードキャストし、ブロードキャストされる情報は、ユーザー装置ＵＥが当該サブチャネルを占用することができる期間の終了時間を含む。例えば、当該終了時間は終了時点、終了サブフレーム、終了符号などで表すことができる。別の例として、ユーザー装置ＵＥによってブロードキャストされる情報は、ユーザー装置ＵＥのアクセス時間及び最大チャネル占用時間（ＭＣＯＴ）を含むことができる。これにより、ブロードキャスト情報を受信した他のユーザー装置は、当該ブロードキャスト情報に従って、ユーザー装置ＵＥによる当該サブチャネルの占用の終了時間を確定することができる。また、図２を参照しながら後述するように、当該終了時間の前に、ユーザー装置ＵＥは、当該サブチャネルで当該終了時間を周期的にブロードキャストすることができる。
【００２０】
また、ステップＳ１５０では、ユーザー装置はさらに、ＭＡ署名リソースライブラリからあるＭＡ署名を選択し、選択されたＭＡ署名を利用して当該サブチャネルで信号を基地局に送信する。特に、ユーザー装置ＵＥは、信号を伝送するために、ＭＡ署名リソースライブラリから１つのＭＡ署名を任意に選択することができる。
【００２１】
一方、ユーザー装置ＵＥがステップＳ１４０で、当該サブチャネルがアイドルのサブチャネルではない（例えば、信号エネルギーが特定の閾値よりも大きい）と確定したときに、当該サブチャネルにおいて他のユーザー装置によって送信された信号が存在することを示す。特別な例として、当該サブチャネルにおいて他のユーザー装置によって送信され、かつユーザー装置ＵＥによってデコードできないブロードキャスト信号が存在し得る。サブチャネルが既に他のユーザー装置によって占用されたので、ユーザー装置ＵＥは当該サブチャネルにアクセスすることができない。そのため、処理はステップＳ１３０に戻って、ユーザー装置ＵＥはＬＢＴを継続的に実行する。
【００２２】
一方、ステップＳ１２０では、ユーザー装置ＵＥが、当該サブチャネルでブロードキャスト情報の検出に成功した（当該ブロードキャスト情報のデコードに成功したことが含まれる）と確定する場合、当該サブチャネルが既に他のユーザー装置によって占用されたことを意味するが、ユーザー装置ＵＥは当該サブチャネルにアクセスすることができるので、処理はステップＳ１６０に進む。
【００２３】
ステップＳ１６０では、ユーザー装置ＵＥは、基地局からのブロードキャスト情報をデコードすることによって当該サブチャネルにおける利用可能なＭＡ署名を取得する。例えば、基地局は認可周波数帯域において当該サブチャネルにおいて利用可能なＭＡ署名をブロードキャストすることができる。さらに、基地局は、利用可能なＭＡ署名を周期的にブロードキャストすることができる。
【００２４】
そして、ステップＳ１７０では、ユーザー装置ＵＥは、当該サブチャネルでアップリンク伝送を行うように、取得した利用可能なＭＡ署名から１つのＭＡ署名を選択する。
【００２５】
この実施例では、無認可周波数帯域のあるサブチャネルにアクセスする１番目のユーザー装置ＵＥはブロードキャストを行い、その後当該サブチャネルにアクセスしようとする他のユーザー装置はユーザー装置ＵＥのブロードキャスト情報のデコードに成功できればその自身が当該サブチャネルにアクセスできると確定することができる。その後、当該他のユーザー装置は、ＭＡ署名を基地局から取得することによって当該サブチャネルでアップリンク伝送を行い、即ち、ユーザー装置ＵＥと当該サブチャネルを共有する。それによって、無認可周波数帯域におけるアップリンクの非直交多重アクセスが実現される。逆に、その後当該サブチャネルにアクセスしようとする他のユーザー装置がユーザー装置ＵＥのブロードキャスト情報のデコードに成功できない場合、従来のＬＢＴメカニズムに従って、当該他のユーザー装置は当該サブチャネルにアクセスできない。
【００２６】
本発明の適用例として、サブチャネルが初めてユーザー装置ＵＥによって占用される場合に、ユーザー装置ＵＥによって送信されるブロードキャスト情報は、同じシステムに属する他のユーザー装置のみによってデコードできるので、ユーザー装置ＵＥと同じシステムに属する他のユーザー装置がサブチャネルにアクセスし、ユーザー装置ＵＥと当該サブチャネルを共有することが許可され、それによって、スペクトル效率を向上させる。異なるシステムに属する他のユーザー装置は、ブロードキャスト信号をデコードすることができないため、当該サブチャネルにアクセスすることができない。また、好ましくは、サブチャネルを占用する各システムのユーザー装置にとって、ユーザー装置の最大チャネル占用時間は均一であり、それによって、各システムの公平な共存を保証することができる。また、例えば、本明細書のシステムは、ＮＲシステムとＷｉＦｉシステムを含むことができる。
【００２７】
ユーザー装置ＵＥのブロードキャスト電力を調整することによって同じサブチャネルで伝送するユーザー装置の最大数を制御することができる。通信シナリオに基づいてブロードキャスト電力を確定することができる。例えば、大規模マシンタイプ通信（ｍＭＴＣ）では、より多くのユーザー装置が同じサブチャネルを共有することができるように、ブロードキャスト電力を高く設置することができ、超高信頼性及び低遅延通信（ＵＲＬＬＣ）では、サブチャネルを共有するユーザー装置の数を制限するために、ブロードキャスト電力を低く設置することができ、それによって、通信の信頼性を保証することができる。
【００２８】
図２は、本発明の第１の実施例によるユーザー装置と基地局との間のシグナリングインタラクティブ図を示した。図２では、ユーザー装置ＵＥ１が、図１の処理に従って、無認可周波数帯域のあるサブチャネルにアクセスする１番目のユーザー装置であるとして確定され、ユーザー装置ＵＥ２及びＵＥ３がユーザー装置ＵＥ１の後に、当該サブチャネルにアクセスすることができるユーザー装置であると仮定する。
【００２９】
図２に示すように、ユーザー装置ＵＥ１は、その自身がサブチャネルを占用する１番目のユーザー装置であることを確定した後、ステップＳ２０１に示すように、当該サブチャネルで、あるＭＡ署名を利用してアップリンク信号を基地局ｇＮＢに送信する。また、ユーザー装置ＵＥ１はステップＳ２０２で、当該サブチャネルでブロードキャストし、ブロードキャストする情報は、ユーザー装置ＵＥ１による当該サブチャネルの占用の終了時間を含む。又は、上記のように、ブロードキャストする情報は、ユーザー装置ＵＥ１のアクセス時間及び最大チャネル占用時間を含むことができる。なお、ステップＳ２０１とＳ２０２の実行順序は図示の順序に限定されず、逆の順序で実行するか、又は同時に実行してもよい。
【００３０】
基地局ｇＮＢは、ユーザー装置ＵＥ１からのアップリンク信号を受信することによって、ユーザー装置ＵＥ１によって使用されるＭＡ署名を知ることができ、その後、基地局ｇＮＢは、ＭＡ署名リソースライブラリからユーザー装置ＵＥ１によって使用されるＭＡ署名を除去することによって、利用可能なＭＡ署名を確定することができる。基地局ｇＮＢはステップＳ２０３で、確定された利用可能なＭＡ署名を各ユーザー装置にブロードキャストする。
【００３１】
ユーザー装置ＵＥ２は、ユーザー装置ＵＥ１のブロードキャスト情報の検出に成功することによってその自身がサブチャネルにアクセスできると確定した場合、ステップＳ２０４に示すように、基地局のブロードキャスト情報を受信することによって当該サブチャネルで利用可能なＭＡ署名を取得し、取得される利用可能なＭＡ署名から１つのＭＡ署名を選択してアップリンク伝送を行う。
【００３２】
基地局ｇＮＢは、ステップＳ２０５に示すように、ユーザー装置ＵＥ２からの信号を受信することによってユーザー装置ＵＥ２に使用されるＭＡ署名を知り、利用可能なＭＡ署名からユーザー装置ＵＥ２によって使用されるＭＡ署名を除去することによって、利用可能なＭＡ署名を更新する。その後、基地局ｇＮＢはステップＳ２０６で、更新後の利用可能なＭＡ署名を各ユーザー装置にブロードキャストする。
【００３３】
ユーザー装置ＵＥ１の占用の終了時間の前に、ユーザー装置ＵＥ１は、ステップＳ２０７に示すように、サブチャネルで、終了時間を周期的にブロードキャストすることができる。
【００３４】
ユーザー装置ＵＥ２と同様に、ユーザー装置ＵＥ３は、その自身がサブチャネルにアクセスすることができると確定した場合、ステップＳ２０８に示すように、基地局のブロードキャスト情報をデコードすることによって、当該サブチャネルで現在利用可能なＭＡ署名を取得し、それらから１つのＭＡ署名を選択してアップリンク伝送を行う。
【００３５】
基地局ｇＮＢは、ステップ２０９に示すように、ユーザー装置ＵＥ３からの信号を受信することによってユーザー装置ＵＥ３によって使用されるＭＡ署名を知り、利用可能なＭＡ署名からユーザー装置ＵＥ３によって使用されるＭＡ署名を除去することによって、利用可能なＭＡ署名を再更新する。その後、基地局ｇＮＢはステップＳ２１０で、再更新された利用可能なＭＡ署名を各ユーザー装置にブロードキャストする。
【００３６】
好ましくは、ステップＳ２０３、Ｓ２０６及びＳ２１０では、基地局ｇＮＢは認可周波数帯域において、当該サブチャネルで例えば物理ブロードキャストチャネル（ＰＢＣＨ）を介して利用可能なＭＡ署名をブロードキャストする。基地局ｇＮＢが利用可能なＭＡ署名をブロードキャストすることによって、ユーザー装置のＭＡ署名が衝突する可能性を低減し、さらに、受信機の複雑さを低減することができる。
【００３７】
また、ユーザー装置ＵＥ１はサブチャネルで占用終了時間を周期的にブロードキャストするため、ステップＳ２１１に、ユーザー装置ＵＥ１が当該終了時間を再びブロードキャストすることを示した。
【００３８】
この実施例では、ユーザー装置ＵＥ１は、チャネル占用終了時間を周期的にブロードキャストすることができ、基地局ｇＮＢは利用可能なＭＡ署名を周期的に更新して、更新後の利用可能なＭＡ署名を各ユーザー装置にブロードキャストすることができる。ユーザー装置ＵＥ１と基地局ｇＮＢの周期的な処理は互いに独立しており、互いに異なる周期を有してもよい。例えば、基地局が更新後の利用可能なＭＡ署名をブロードキャストした後（ステップＳ２０６）、ユーザー装置ＵＥ１は占用終了時間を再ブロードキャストする（ステップＳ２０７）ことを図示しているが、本発明の解決策はこれに限定されない。つまり、ステップＳ２０７と基地局ｇＮＢによって実行されるステップとの間に先後順序がない。本発明は、ユーザー装置ＵＥ１の周期的なブロードキャストと基地局ｇＮＢの周期的な更新との間の時間的関係を限定しない。
【００３９】
さらに、基地局ｇＮＢは、ユーザー装置（ＵＥ２、ＵＥ３）のアップリンク信号を受信するたびに、利用可能なＭＡ署名を更新することを図示しているが、本発明の解決策はこれに限定されない。実際の通信システムでは、基地局ｇＮＢは、非常に短時間で大量のアップリンク信号を受信する可能性があるので、各アップリンク信号の受信ごとに利用可能なＭＡ署名を更新するわけではなく、より長い周期で利用可能なＭＡ署名を更新することができる。
【００４０】
図３は、本発明の第２の実施例によるユーザー装置によって実行される処理を示した。図３に示すように、ユーザー装置ＵＥは、アップリンク伝送データの準備ができた場合に、ステップＳ３１０に示すように、無認可周波数帯域における１つ又は複数のサブチャネルを選択し、選択されたサブチャネルでブロードキャスト情報を検出する。特に、ユーザー装置ＵＥはサブチャネルをランダムに選択することができるか、又は、基地局によってサブチャネルをユーザー装置ＵＥに半静的に割り当てることができる。
【００４１】
ユーザー装置ＵＥがステップＳ３２０で当該サブチャネルでブロードキャスト情報の検出に成功していないと確定した後、ユーザー装置はさらに、当該サブチャネルがアイドルであるかどうかを確定することができるので、処理はステップＳ３３０に進む。
【００４２】
ステップＳ３３０では、ユーザー装置ＵＥは「ＬＢＴ」を実行して、当該サブチャネルがアイドルサブチャネルであるかどうかを判断する。第１の実施例と同様に、例えば、ユーザー装置ＵＥは当該サブチャネルにおける信号エネルギーを検出することによって当該サブチャネルがアイドルであるかどうかを確定することができる。ステップＳ３４０では、当該サブチャネルがアイドルである（例えば、信号エネルギーが特定の閾値よりも小さい）と確定した場合に、ユーザー装置ＵＥの処理はステップＳ３５０に進む。
【００４３】
ステップＳ３５０では、ユーザー装置ＵＥは当該サブチャネルでブロードキャストし、ブロードキャスト情報は、ユーザー装置ＵＥによる当該サブチャネルの占用の終了時間を含むか、又はユーザー装置ＵＥのアクセス時間及び最大チャネル占用時間を含むことができる。また、ユーザー装置ＵＥはＭＡ署名ライブラリからあるＭＡ署名を選択し、選択されたＭＡ署名を利用して当該サブチャネルでアップリンク伝送を行う。特に、当該サブチャネルにアクセスする１番目のユーザー装置であるため、ユーザー装置ＵＥはＭＡ署名ライブラリから１つのＭＡ署名を任意に選択することができる。これらは第１の実施例における処理と同様である。
【００４４】
この実施例と第１の実施例との間の相違は、当該サブチャネルにアクセスする１番目のユーザー装置ＵＥがステップＳ３５０で、さらに、当該サブチャネルで現在利用可能なＭＡ署名をブロードキャストすることであり、現在利用可能なＭＡ署名は、ＭＡ署名ライブラリからユーザー装置ＵＥによって選択されたＭＡ署名を除去することによって取得することができる。或いは、図４を参照しながら後述するように、利用可能なＭＡ署名は基地局によって通知されてもよい。この場合、基地局によって、利用可能なＭＡ署名を周期的に更新して、更新後の署名をユーザー装置ＵＥに通知し、ユーザー装置ＵＥはサブチャネルで現在利用可能なＭＡ署名を周期的にブロードキャストする。
【００４５】
一方、ユーザー装置ＵＥがステップＳ３４０で当該サブチャネルがアイドルサブチャネルではない（例えば、信号エネルギーが特定の閾値よりも大きい）と確定した場合に、当該サブチャネルにおいて、他のユーザー装置によって送信される信号が存在することを示す。一例として、当該サブチャネルにおいて、他のユーザー装置によって送信され、かつユーザー装置ＵＥによってデコードできないブロードキャスト信号が存在し得る。当該サブチャネルは既に他のユーザー装置によって占用されたので、ユーザー装置ＵＥは当該サブチャネルにアクセスすることができない。そのため、処理はステップＳ３３０に戻って、ユーザー装置ＵＥは「ＬＢＴ」を実行して続ける。
【００４６】
一方、ユーザー装置ＵＥがステップＳ３２０でサブチャネルでブロードキャスト情報の検出（デコード）に成功した確定する場合、これは、他のユーザー装置が既に当該サブチャネルで伝送を行うことを意味するが、ユーザー装置ＵＥは、その自身が当該サブチャネルにアクセスして続けることができると確定するので、処理はステップＳ３６０に進む。
【００４７】
ブロードキャスト情報が当該サブチャネルにおいて利用可能なＭＡ署名を含むので、ユーザー装置ＵＥは当該ブロードキャスト情報をデコードすることによって、現在利用可能なＭＡ署名を取得することができる。それによって、ステップＳ３６０では、ユーザー装置ＵＥは取得された利用可能なＭＡ署名から１つのＭＡ署名を選択して、アップリンク伝送を行う。
【００４８】
第１の実施例と同様に、この実施例では、サブチャネルを占用する１番目のユーザー装置ＵＥはサブチャネルでブロードキャストを行い、その後当該サブチャネルにアクセスしようとする他のユーザー装置は、ユーザー装置ＵＥのブロードキャスト情報のデコードに成功することができる場合、当該サブチャネルにアクセスし続けることができ、即ち、ユーザー装置ＵＥと当該サブチャネルを共有する。それによって、無認可周波数帯域におけるアップリンクの非直交多重アクセスが実現される。逆に、その後当該サブチャネルにアクセスしようとする他のユーザー装置は、ブロードキャスト情報のデコードに成功することができない場合、当該サブチャネルにアクセスすることができない。
【００４９】
図４は、本発明の第２の実施例によるユーザー装置と基地局との間のシグナリングインタラクティブ図を示した。図４では、ユーザー装置ＵＥ１が無認可周波数帯域のあるサブチャネルを占用する１番目のユーザー装置であって、ユーザー装置ＵＥ２及びＵＥ３がユーザー装置ＵＥ１の後に当該サブチャネルにアクセスできるユーザー装置であると仮定する。
【００５０】
図４に示すように、サブチャネルを占用する１番目のユーザー装置ＵＥ１はステップＳ４０１で、ＭＡ署名リソースライブラリから選択した１つのＭＡ署名を利用してアップリンク信号を基地局ｇＮＢに送信する。また、ユーザー装置ＵＥ１はステップＳ４０２で、当該サブチャネルでブロードキャストを行い、ブロードキャストする情報は、ユーザー装置ＵＥ１の占用終了時間及び当該サブチャネルにおける利用可能なＭＡ署名を含む。ブロードキャストされる利用可能なＭＡ署名は、ユーザー装置ＵＥ１がＭＡ署名リソースライブラリからその自身によって選択されたＭＡ署名を除去することによって確定するものである。なお、ステップＳ４０１及びＳ４０２の実行順序は図示の順序に限定されず、逆の順序で実行するか、又は同時に実行してもよい。
【００５１】
基地局ｇＮＢは、ユーザー装置ＵＥ１からのアップリンク信号を受信することによってユーザー装置ＵＥ１によって使用されるＭＡ署名を知ることができるので、基地局ｇＮＢが当該サブチャネルでユーザー装置ＵＥ１のブロードキャスト情報を受信しなくても、基地局ｇＮＢはＭＡ署名リソースライブラリからユーザー装置ＵＥ１によって使用されるＭＡ署名を除去することにって利用可能なＭＡ署名を確定することができる。
【００５２】
その後、ユーザー装置ＵＥ２は、ステップＳ４０３に示すように、ユーザー装置ＵＥ１のブロードキャスト情報をデコードすることによって利用可能なＭＡ署名を取得し、取得した利用可能なＭＡ署名から１つのＭＡ署名を選択してアップリンク伝送を行う。
【００５３】
基地局ｇＮＢは、ステップＳ４０４に示すように、ユーザー装置ＵＥ２からの信号を受信することによってユーザー装置ＵＥ２によって使用されるＭＡ署名を知り、前に確定された利用可能なＭＡ署名からユーザー装置ＵＥ２によって使用されるＭＡ署名を除去することによって、利用可能なＭＡ署名を更新し、更新後の利用可能なＭＡ署名をユーザー装置ＵＥ１に送信する。
【００５４】
ユーザー装置ＵＥ１は、ステップＳ４０５に示すように、基地局ｇＮＢから更新後の利用可能なＭＡ署名を受信した後、サブチャネルで再ブロードキャストすることができる。好ましくは、ユーザー装置ＵＥ１は更新後の利用可能なＭＡ署名を占用終了時間とともにブロードキャストすることができる。
【００５５】
その後、ユーザー装置ＵＥ２と類似に、ユーザー装置ＵＥ３は、ステップＳ４０６に示すように、ユーザー装置ＵＥ１のブロードキャスト情報をデコードすることによって利用可能なＭＡ署名を取得し、利用可能なＭＡ署名から１つのＭＡ署名を選択してアップリンク信号を基地局ｇＮＢに送信する。
【００５６】
基地局ｇＮＢは、ステップＳ４０７に示すように、ユーザー装置ＵＥ３からの信号を受信することによってユーザー装置ＵＥ３によって使用されるＭＡ署名を知り、利用可能なＭＡ署名からユーザー装置ＵＥ３によって使用されるＭＡ署名を除去することによって、利用可能なＭＡ署名を再更新し、再更新された利用可能なＭＡ署名をユーザー装置ＵＥ１に送信する。好ましくは、ステップＳ４０４及びＳ４０７で、基地局ｇＮＢは、認可周波数帯域において、更新後の利用可能なＭＡ署名を、例えば物理ダウンリンク制御チャネル（ＰＤＣＣＨ）を介して送信することができる。
【００５７】
ユーザー装置ＵＥ１は、基地局ｇＮＢから再更新後の利用可能なＭＡ署名を受信した後、ステップＳ４０８で、受信された利用可能なＭＡ署名を再ブロードキャストする。好ましくは、ユーザー装置ＵＥ１は、利用可能なＭＡ署名を占用終了時間とともにブロードキャストする。
【００５８】
なお、基地局ｇＮＢがユーザー装置（ＵＥ２、ＵＥ３）のアップリンク信号を受信するたびに利用可能なＭＡ署名を更新することを図示しているが、本発明の解決策はこれに限定されない。基地局ｇＮＢは必ずしも各アップリンク伝送ごとに利用可能なＭＡ署名を更新する必要はなく、より長い周期（例えば当該周期で複数回のアップリンク伝送を受信する可能性がある）で利用可能なＭＡ署名を更新してもよい。
【００５９】
また、ユーザー装置ＵＥ１が、基地局ｇＮＢによって送信される更新後の利用可能なＭＡ署名を受信するたびにブロードキャストすることを図示しているが、本発明はこれに限定されない。本発明では、ユーザー装置ＵＥ１の周期的なブロードキャストと基地局ｇＮＢの利用可能なＭＡ署名の周期的な更新とは互いに独立する操作である。ユーザー装置ＵＥ１のブロードキャスト周期は、基地局の更新周期よりも長くても短くてもよい。例えば、ユーザー装置ＵＥ１は、更新後の利用可能なＭＡ署名を２回受信した後、最後受信した利用可能なＭＡ署名をブロードキャストしてもよい。
【００６０】
上記の実施例によれば、本発明は、無認可周波数帯域においてアップリンク非直交多重アクセス（ＮＯＭＡ）を実現する解決策を提供する。本発明の解決策はスペクトル效率を向上させ、各システムの無認可周波数帯域における公平な共存を保証することができる。上記では、システムとしてＮＲシステム及びＷｉＦｉシステムを例示したが、本発明は、ＮＲシステム及びＷｉＦｉシステムに限定されない。技術の発展につれて、当業者は本発明の他のシステムへの適用を容易にできる。
【００６１】
また、本発明の解決策はアップリンクグラントフリー（ｇｒａｎｔ-ｆｒｅｅ）伝送のシナリオにも適用することができる。アップリンクグラントフリー伝送とは、スケジューリング要求を基地局に送信し且つ基地局からのアップリンクスケジューリング認可の受信を待つことがなく、ユーザー装置がデータの準備ができた直後にアップリンク伝送を行うことを意味する。アップリンクグラントフリー伝送の解決策の利点はスケジューリング要求及びアップリンクスケジューリング認可に関連するシグナリングオーバーヘッドを低減することができ（この利点は伝送のデータが少ないときに、特に重要である）、スケジューリング要求及びアップリンクスケジューリング認可による伝送遅延を回避することができることである。
【００６２】
本発明は、様々な製品に適用可能である。例えば、上記の実施例における基地局は、マクロｅＮＢや小ｅＮＢのような５Ｇ基地局（ｇＮＢ）、４Ｇ基地局（ｅＮＢ）を含むことができる。小ｅＮＢは、例えばピコｅＮＢ、マイクロｅＮＢと家庭(フェムト)ｅＮＢなどのマクロセルより小さいセルをカバーするｅＮＢであってもよい。その代わりに、当該ネットワーク側装置又は基地局は、例えばＮｏｄｅＢと基地局トランシーバ(ＢＴＳ)のような任意の他のタイプの基地局を含んでもよい。基地局は、無線通信を制御するように配置される本体(基地局機器とも呼ばれる)と、本体と異なるところに設けられる１つ又は複数のリモート無線ヘッド(ＲＲＨ)とを含んでもよい。また、様々なタイプの端末装置は基地局機能を一時的又は半永久的に実行することによって、基地局として動作してもよい。
【００６３】
一方、上記の実施例におけるユーザー装置は例えば、通信端末装置(例えばスマートフォン、タブレットパーソナルコンピュータ(ＰＣ)、ノートＰＣ、携帯ゲーム端末、ポータブル／ドングルモバイルルーターとデジタル撮影装置)又は車載端末装置（例えばカーナビゲーション装置）として実現されてもよいし、マシンツーマシン(Ｍ２Ｍ)通信を実行する端末装置として実現されてもよく、マシンタイプ通信（ＭＴＣ）端末装置とも呼ばれる。また、当該端末装置又はユーザー装置は、上記端末のそれぞれに搭載された無線通信モジュール(例えば単一チップを含む集積回路モジュール)であってもよい。
【００６４】
以下、一例としてスマートフォンを用いて、図５を参照しながらユーザ装置の実現について説明する。
【００６５】
図５は、スマートフォンの概略配置のブロック図を示した。図５に示すように、スマートフォン２５００は、プロセッサ２５０１、メモリ２５０２、記憶装置２５０３、外部接続インターフェース２５０４、撮影装置２５０６、センサー２５０７、マイク２５０８、入力装置２５０９、表示装置２５１０、スピーカ２５１１、無線通信インターフェース２５１２、１つ又は複数のアンテナスイッチ２５１５、１つ又は複数のアンテナ２５１６、バス２５１７、電池２５１８及び補助コントローラ２５１９を含む。
【００６６】
プロセッサ２５０１は例えばＣＰＵ又はシステムオンチップ(ＳｏＣ)であって、スマートフォン２５００のアプリケーション層と他の層の機能を制御することができる。メモリ２５０２はＲＡＭとＲＯＭを含み、データとプロセッサ２５０１によって実行されるプログラムを記憶する。記憶装置２５０３は例えば半導体メモリとハードディスクのような記憶媒体を含むことができる。外部接続インターフェース２５０４は外部装置(例えばメモリカードとユニバーサルシリアルバス(ＵＳＢ)装置)をスマートフォン２５００に接続するためのインターフェースである。  
【００６７】
撮影装置２５０６は、イメージセンサー(例えば電荷結合デバイス(ＣＣＤ)と相補型金属酸化物半導体(ＣＭＯＳ))を含み、キャプチャ画像を生成する。センサー２５０７は、例えば測定センサー、ジャイロセンサー、地磁気センサー及び加速度センサーのような１組みのセンサーを含むことができる。マイク２５０８は、スマートフォン２５００に入力された音をオーディオ信号に変換する。入力装置２５０９は、例えば表示装置２５１０のスクリーン上のタッチを検出するように配置されるタッチセンサー、キーパッド、キーボード、ボタン又はスイッチを含み、ユーザーから入力された動作又は情報を受信する。表示装置２５１０はスクリーン(例えば液晶ディスプレイ(ＬＣＤ)と有機発光ダイオード(ＯＬＥＤ)ディスプレイ)を含み、スマートフォン２５００の出力画像を表示する。スピーカ２５１１はスマートフォン２５００から出力したオーディオ信号を音に変換する。
【００６８】
無線通信インターフェース２５１２は、任意のセルラー通信方式(例えば、ＬＴＥ及びＬＴＥ-先進)をサポートし、無線通信を実行する。無線通信インターフェース２５１２は通常、例えばＢＢプロセッサ２５１３とＲＦ回路２５１４を含むことができる。ＢＢプロセッサ２５１３は例えば、符号化／復号化、変調／復調、多重化／多重化解除を実行するとともに、無線通信のための各種のタイプの信号処理を実行することができる。同時に、ＲＦ回路２５１４は例えばミキサ、フィルタ、アンプを含んで、アンテナ２５１６を介して無線信号を送受信することができる。無線通信インターフェース２５１２はその上にＢＢプロセッサ２５１３とＲＦ回路２５１４が集積化される１つのチップモジュールであってもよい。図５に示すように、無線通信インターフェース２５１２は複数のＢＢプロセッサ２５１３と複数のＲＦ回路２５１４を含んでもよい。しかし、無線通信インターフェース２５１２は単一のＢＢプロセッサ２５１３又は単一のＲＦ回路２５１４を含んでもよい。
【００６９】
なお、セルラー通信方式の以外、無線通信インターフェース２５１２は、例えば短距離無線通信方式、近接通信方式と無線ローカルネットワーク(ＬＡＮ)方式などの別のタイプの無線通信方式をサポートしてもよい。この場合、無線通信インターフェース２５１２は各無線通信方式に対するＢＢプロセッサ２５１３とＲＦ回路２５１４を含んでもよい。
【００７０】
アンテナスイッチ２５１５のそれぞれは無線通信インターフェース２５１２に含まれる複数の回路(例えば異なる無線通信方式に使用される回路)間でアンテナ２５１６の接続先を切り替える。
【００７１】
アンテナ２５１６のそれぞれは単一又は複数のアンテナ素子(例えばＭＩＭＯアンテナに含まれる複数のアンテナ素子)を含み、無線通信インターフェース２５１２の無線信号の送受信に使用される。図５に示すように、スマートフォン２５００は複数のアンテナ２５１６を含んでもよい。しかし、スマートフォン２５００は単一のアンテナ２５１６を含んでもよい。
【００７２】
なお、スマートフォン２５００は各無線通信方式に対するアンテナ２５１６を含んでもよい。この場合、アンテナスイッチ２５１５はスマートフォン２５００の配置から省略されてもよい。
【００７３】
バス２５１７はプロセッサ２５０１、メモリ２５０２、記憶装置２５０３、外部接続インターフェース２５０４、撮像装置２５０６、センサー２５０７、マイク２５０８、入力装置２５０９、表示装置２５１０、スピーカ２５１１、無線通信インターフェース２５２５及び補助コントローラ２５１９を互いに接続する。電池２５１８は給電線を介してスマートフォン２５００の各ブロックに電力を提供し、給電線は図面において部分的に点線によって表される。補助コントローラ２５１９は例えば睡眠モードでスマートフォン２５００の最少の必要な機能を操作する。
【００７４】
図５に示すスマートフォン２５００では、端末装置の送受信装置は無線通信インターフェース２５１２によって実現することができる。端末装置の各機能ユニットの機能の少なくとも一部はプロセッサ２５０１又は補助コントローラ２５１９によって実現してもよい。例えば、補助コントローラ２５１９によってプロセッサ２５０１の機能の一部を実行することによって、電池２５１８の消費電力を低減することができる。また、プロセッサ２５０１又は補助コントローラ２５１９は、メモリ２５０２又は記憶装置２５０３に記憶されるプログラムを実行することによって、端末装置の各機能ユニットの機能の少なくとも一部を実行することができる。
【００７５】
以下、図６を参照しながら基地局の実現について説明する。
【００７６】
図６は基地局の概略配置のブロック図を示した。図６に示すように、基地局２３００は、１つ又は複数のアンテナ２３１０及び基地局機器２３２０を含む。基地局機器２３２０と各アンテナ２３１０は無線周波線（ＲＦ）ケーブルを介して接続される。
【００７７】
アンテナ２３１０のそれぞれは単一又は複数のアンテナ素子を含み(例えば多入力多出力(ＭＩＭＯ)アンテナに含まれる複数アンテナ素子)、基地局機器２３２０の無線信号の送受信に使用される。図６に示すように、基地局２３００は複数のアンテナ２３１０を含んでもよい。  例えば、複数アンテナ２３１０は基地局２３００に使用される複数の周波数帯域と互換性があり得る。図６に、基地局２３００が複数アンテナ２３１０を含む例を示したが、基地局２３００は単一のアンテナ２３１０を含んでもよい。
【００７８】
基地局機器２３２０は、コントローラ２３２１、メモリ２３２２、ネットワークインターフェース２３２３及び無線通信インターフェース２３２５を含むことができる。
【００７９】
コントローラ２３２１は例えばＣＰＵ又はＤＳＰであり、基地局機器２３２０の上位層の各種機能を動作させる。例えば、コントローラ２３２１は無線通信インターフェース２３２５で処理された信号におけるデータに基づいてデータパケットを生成し、ネットワークインターフェース２３２３を介して、生成されたパケットを伝送する。コントローラ２３２１は、複数のベースバンドプロセッサからのデータをバンドルして、バンドルパケットを生成し、生成されたバンドルパケットを伝送することができる。コントローラ２３２１は以下のような制御を実行する論理機能を有してもよく、この制御は例えば、無線リソース制御、無線ベアラ制御、モビリティ管理、受付制御、スケジューリングなどである。この制御は近くの基地局又はコアネットワークノードと結合して実行することができる。メモリ２３２２はＲＡＭとＲＯＭを含み、コントローラ２３２１によって実行されるプログラムや様々なタイプの制御データ(例えば、端末リスト、送信パワーデータ及びスケジューリングデータ)が記憶される。
【００８０】
ネットワークインターフェース２３２３は、基地局機器２３２０をコアネットワーク２３２４の通信インターフェースに接続するためのものである。コントローラ２３２１はネットワークインターフェース２３２３を介してコアネットワークノード又は他の基地局と通信することができる。この場合、基地局２３００とコアネットワークノード又は他の基地局とは論理インターフェース(例えばＳ１インターフェースとＸ２インターフェース)によって互いに接続できる。ネットワークインターフェース２３２３は有線通信インターフェース又は無線バックホール回線用の無線通信インターフェースであってもよい。ネットワークインターフェース２３２３が無線通信インターフェースであれば、無線通信インターフェース２３２５に使用される周波数帯域と比べると、ネットワークインターフェース２３２３はより高い周波数帯域を無線通信に使用することができる。
【００８１】
無線通信インターフェース２３２５は任意のセルラー通信方式(例えば、長期的な進化(ＬＴＥ)及びＬＴＥー先進)をサポートし、アンテナ２３１０を介して基地局２３００のセルに位置する端末の無線接続を提供する。無線通信インターフェース２３２５は通常、例えばベースバンド(ＢＢ)プロセッサ２３２６とＲＦ回路２３２７を含むことができる。ＢＢプロセッサ２３２６は例えば、符号化／復号化、変調／復調、多重化／多重化解除を実行するとともに、レイヤー(例えばＬ１、メディアアクセス制御(ＭＡＣ)、無線リンク制御(ＲＬＣ)、パケットデータアグリゲーションプロトコル(ＰＤＣＰ))の各タイプの信号処理を実行することができる。コントローラ２３２１の代わりに、ＢＢプロセッサ２３２６は、上記した論理機能の一部又は全部を有してもよい。ＢＢプロセッサ２３２６は、通信制御プログラムが記憶されるメモリであってもよく、或いは、プログラムを実行するように配置されるプロセッサ及び関連する回路を含むモジュールであってもよい。プログラムの更新はＢＢプロセッサ２３２６の機能を変更させることができる。このモジュールは基地局機器２３２０のスロットに挿入されるカード又はブレッドであってもよい。その代わりに、このモジュールはカード又はブレッドに搭載されるチップであってもよい。同時に、ＲＦ回路２３２７は、例えばミキサ、フィルタ、アンプを含んで、アンテナ２３１０を介して無線信号を送受信してもよい。
【００８２】
図６に示すように、無線通信インターフェース２３２５は複数のＢＢプロセッサ２３２６を含んでもよい。例えば、複数のＢＢプロセッサ２３２６は基地局２３００に使用される複数の周波数帯域と互換性があり得る。図６に示すように、無線通信インターフェース２３２５は複数のＲＦ回路２３２７を含んでもよい。例えば、複数のＲＦ回路２３２７は複数のアンテナ素子と互換性があり得る。図６に、無線通信インターフェース２３２５が複数のＢＢプロセッサ２３２６と複数のＲＦ回路２３２７を含む例を示したが、無線通信インターフェース２３２５は単一のＢＢプロセッサ２３２６又は単一のＲＦ回路２３２７を含んでもよい。
【００８３】
図６に示す基地局２３００では、基地局側装置の送受信装置は無線通信インターフェース２３２５によって実現することができる。各ユニットの機能の少なくとも一部は、コントローラ２３２１によって実行されてもよい。例えば、コントローラ２３２１は、メモリ２３２２に記憶されるプログラムを実行することによって各ユニットの機能の少なくとも一部を実行することができる。
【００８４】
本明細書で説明される各装置又はユニットは論理的意義上のものであって、物理装置又はエンティティに厳格に対応するものではない。例えば、本明細書で説明される各ユニットの機能は複数の物理エンティティによって実現することができ、或いは、本明細書で説明される複数のユニットの機能は単一の物理エンティティによって実現することができる。なお、一実施例で説明される特徴、部材、要素、ステップなどは、この実施例に限定されるものではなく、他の実施形態にも適用することができ、例えば、他の実施例における特定の特徴、部材、要素、ステップなどを置き換えるか、又はそれらと組み合わせる。
【００８５】
図７は、プログラムに従って本発明の解決策を実行するためのコンピュータのハードウェアの例示的な配置を示すブロック図である。
【００８６】
コンピュータ７００では、中央処理ユニット（ＣＰＵ）７０１、読み取り専用メモリ（ＲＯＭ）７０２及びランダムアクセスメモリ（ＲＡＭ）７０３はバス７０４によって互いに接続される。
【００８７】
入力／出力インターフェース７０５はさらにバス７０４に接続される。入力／出力インターフェース７０５には、キーボード、マウス、マイクなどからなる入力ユニット７０６と、ディスプレイ、スピーカーなどからなる出力ユニット７０７と、ハードディスク、不揮発性メモリからなる記憶ユニット７０８と、ネットワークインタフェースカード（例えば、ローカルエリアネットワーク（ＬＡＮ）カード、モデム等）からなる通信ユニット７０９と、リムーバブルメディア７１１を駆動するドライブ７１０が接続され、このリムーバブルメディア７１１は例えば、ディスク、光ディスク、光磁気ディスク、又は半導体メモリである。
【００８８】
上記した構成を有するコンピュータにおいて、ＣＰＵ７０１は記憶ユニット７０８に記憶されるプログラムを、入力／出力インターフェース７０５とバス７０４を介してＲＡＭ  ７０３にロードし、このプログラムを実行して、上記の処理を実行する。
【００８９】
コンピュータ(ＣＰＵ７０１)によって実行されるプログラムは、パッケージメディアであるリムーバブルメディア７１１に記録されてもよく、当該パッケージメディアは例えば、磁気ディスク（フレキシブルディスクを含む）、光ディスク（コンパクトディスク  -  読み取り専用メモリ（ＣＤ―ＲＯＭ）、デジタル多用途ディスク（ＤＶＤ）などを含む）、光磁気ディスク、又は半導体メモリによって形成される。なお、コンピュータ(ＣＰＵ７０１)によって実行されるプログラは、例えばローカルエリアネットワーク、インターネット、デジタル衛星放送の有線又は無線伝送媒体を介して提供されてもよい。
【００９０】
リムーバブルメディア７１１がドライブ７１０に取り付けられる場合、プログラムを入力／出力インターフェース７０５を介して記憶ユニット７０８にインストールすることができる。また、有線又は無線伝送媒体を介して、通信ユニット７０９によってプログラムを受信して、プログラムを記憶ユニット７０８にインストールしてもよい。その代わりに、プログラムをＲＯＭ７０２又は記憶ユニット７０８に予めインストールしてもよい。
【００９１】
コンピュータによって実行するプログラムは、本明細書で説明された順序に従って処理を実行するプログラムであってもよく、或いは、処理を並行に実行する又は必要時に(例えば、呼び出す時に)処理を実行するプログラムであってもよい。
【００９２】
以上、図面を参照しながら本発明の実施例及び技術效果について詳しく説明したが、本発明の範囲はこれに限られない。当業者は、設計要求と他の要素に従って、本発明の原理及び精神から逸脱しない場合に、本明細書で検討した実施例に対して様々な修正又は変更を行うことができると理解すべきである。本発明の範囲は添付した特許の請求項又はその均等の解決策によって限定されるものである。
【００９３】
また、本発明は以下のように配置されてもよい。
【００９４】
処理回路を含む無線通信装置であって、前記処理回路は、無認可周波数帯域の特定サブチャネルでブロードキャスト情報を検出し、ブロードキャスト情報の検出に成功できない場合に、前記特定サブチャネルで時間情報をブロードキャストするように配置され、前記時間情報に基づいて前記無線通信装置の前記特定サブチャネルに対する占用の終了時間を確定することができる。
【００９５】
前記処理回路はさらに、ブロードキャスト情報の検出に成功できない場合に、署名ドメインリソースを選択して前記特定サブチャネルでアップリンク伝送を実行するように配置される。
【００９６】
前記処理回路はさらに、ブロードキャスト情報の検出に成功できない場合に、前記特定サブチャネルにおける信号エネルギーを検出して前記特定サブチャネルがアイドルであるかどうかを確定し、前記特定サブチャネルがアイドルであると確定したときに、前記時間情報をブロードキャストし、選択した署名ドメインリソースを利用してアップリンク伝送を実行するように配置される。
【００９７】
その中、時間情報をブロードキャストすることは、前記時間情報に指示される終了時間の前に、前記時間情報を周期的にブロードキャストすることを含む。
【００９８】
前記処理回路はさらに、署名ドメインリソースライブラリから選択された署名ドメインリソースを除去することによって、利用可能な署名ドメインリソースを確定し、前記利用可能な署名ドメインリソースをブロードキャストするように配置される。
【００９９】
前記処理回路はさらに、前記時間情報に指示される終了時間の前に、更新された利用可能な署名ドメインリソースを基地局から受信し、前記更新された利用可能な署名ドメインリソースをブロードキャストするように配置される。
【０１００】
処理回路を含む無線通信装置であって、前記処理回路は、無認可周波数帯域の特定サブチャネルでブロードキャスト情報を検出し、前記特定サブチャネルで前記ブロードキャスト情報の検出に成功した場合に、１つ又は複数の利用可能な署名ドメインリソースから１つの署名ドメインリソースを選択してアップリンク伝送を実行するように配置される。
【０１０１】
前記処理回路はさらに、前記１つ又は複数の利用可能な署名ドメインリソースを基地局から取得するか、又は前記ブロードキャスト情報に基づいて前記１つ又は複数の利用可能な署名ドメインリソースを確定するように配置される。
【０１０２】
端末装置によって実行される無線通信方法であって、無認可周波数帯域の特定サブチャネルでブロードキャスト情報を検出することと、ブロードキャスト情報の検出に成功できない場合に、前記特定サブチャネルで時間情報をブロードキャストすることとを含み、前記時間情報に基づいて前記端末装置の前記特定サブチャネルに対する占用の終了時間を確定することができる。
【０１０３】
前記方法はさらに、ブロードキャスト情報の検出に成功できない場合に、署名ドメインリソースを選択して前記特定サブチャネルでアップリンク伝送を実行することを含む。
【０１０４】
前記方法はさらに、ブロードキャスト情報の検出に成功できないときに、前記特定サブチャネルにおける信号エネルギーを検出して、前記特定サブチャネルがアイドルであるかどうかを確定することと、前記特定サブチャネルがアイドルであると確定したときに、前記時間情報をブロードキャストし、選択した署名ドメインリソースを利用してアップリンク伝送を実行することとを含む。
【０１０５】
前記方法はさらに、前記時間情報に指示される終了時間の前に、前記時間情報を周期的にブロードキャストすることを含む。
【０１０６】
前記方法はさらに、署名ドメインリソースライブラリから選択された署名ドメインリソースを除去することによって利用可能な署名ドメインリソースを確定することと、前記利用可能な署名ドメインリソースをブロードキャストすることとを含む。
【０１０７】
前記方法はさらに、前記時間情報に指示される終了時間の前に、更新された利用可能な署名ドメインリソースを基地局から受信することと、前記更新された利用可能な署名ドメインリソースをブロードキャストすることとを含む。
【０１０８】
端末装置によって実行される無線通信方法であって、無認可周波数帯域の特定サブチャネルでブロードキャスト情報を検出することと、前記特定サブチャネルで前記ブロードキャスト情報の検出に成功した場合に、１つ又は複数の利用可能な署名ドメインリソースから１つの署名ドメインリソースを選択してアップリンク伝送を実行することとを含む。
【０１０９】
前記方法はさらに、前記１つ又は複数の利用可能な署名ドメインリソースを基地局から取得するか、又は、前記ブロードキャスト情報に基づいて前記１つ又は複数の利用可能な署名ドメインリソースを確定することを含む。
【０１１０】
処理回路を含む無線通信装置であって、前記処理回路は、無認可周波数帯域の特定サブチャネルでアップリンク伝送及び時間情報を受信し、前記時間情報に基づいて特定端末装置の前記特定サブチャネルに対する占用の終了時間を確定することができ、前記終了時間の前に、前記アップリンク伝送に使用される署名ドメインリソースに基づいて利用可能な署名ドメインリソースを更新するように配置される。
【０１１１】
前記処理回路はさらに、署名ドメインリソースライブラリから前記アップリンク伝送に使用される署名ドメインリソースを除去することによって、更新後の利用可能な署名ドメインリソースを確定するように配置される。
【０１１２】
前記処理回路はさらに、前記終了時間の前に、認可周波数帯域において、更新後の利用可能な署名ドメインリソースをブロードキャストするように配置される。
【０１１３】
前記処理回路はさらに、前記終了時間の前に、認可周波数帯域において、更新後の利用可能な署名ドメインリソースを前記特定端末装置に送信するように配置される。
【０１１４】
基地局により実行される無線通信方法であって、無認可周波数帯域の特定サブチャネルでアップリンク伝送及び時間情報を受信し、前記時間情報に基づいて特定端末装置の前記特定サブチャネルに対する占用の終了時間を確定することができることと、前記終了時間の前に、前記アップリンク伝送に使用される署名ドメインリソースに基づいて利用可能な署名ドメインリソースを更新することとを含む。
【０１１５】
前記方法はさらに、署名ドメインリソースライブラリから前記アップリンク伝送に使用される署名ドメインリソースを除去することによって、更新後の利用可能な署名ドメインリソースを確定するように配置される。
【０１１６】
前記方法はさらに、前記終了時間の前に、認可周波数帯域において、更新後の利用可能な署名ドメインリソースをブロードキャストすることを含む。
【０１１７】
前記方法はさらに、前記終了時間の前に、認可周波数帯域において、更新後の利用可能な署名ドメインリソースを前記特定端末装置に送信することを含む。
【０１１８】
プログラムが記憶されるコンピュータ可読記憶媒体であって、前記プログラムが実行されるときに上記の無線通信方法をコンピュータに実現させる。
【図１Ａ】
2020526056.tif 000003
【図１Ｂ】
2020526056.tif 000004
【図２】
2020526056.tif 000005
【図３】
2020526056.tif 000006
【図４】
2020526056.tif 000007
【図５】
2020526056.tif 000008
【図６】
2020526056.tif 000009
【図７】
2020526056.tif 000010
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
無線通信装置であって、
無認可周波数帯域の特定サブチャネルでブロードキャスト情報を検出し、
ブロードキャスト情報の検出に成功できない場合に、前記特定サブチャネルで時間情報をブロードキャストするように配置される処理回路を含み、
前記時間情報に基づいて、前記無線通信装置の前記特定サブチャネルに対する占用の終了時間を確定することができる、
無線通信装置。
【請求項２】
前記処理回路はさらに、
ブロードキャスト情報の検出に成功できない場合に、署名ドメインリソースを選択して、前記特定サブチャネルでアップリンク伝送を実行する、
ように配置される請求項１に記載の無線通信装置。
【請求項３】
前記処理回路はさらに、
ブロードキャスト情報の検出に成功できない場合に、前記特定サブチャネルにおける信号エネルギーを検出して前記特定サブチャネルがアイドルであるかどうかを確定し、
前記特定サブチャネルがアイドルであると確定したときに、前記時間情報をブロードキャストし、選択した署名ドメインリソースを利用してアップリンク伝送を実行する、
ように配置される請求項２に記載の無線通信装置。
【請求項４】
時間情報をブロードキャストすることは、
前記時間情報に指示される終了時間の前に、前記時間情報を周期的にブロードキャストすること、
を含む請求項１に記載の無線通信装置。
【請求項５】
前記処理回路はさらに、
署名ドメインリソースライブラリから選択された署名ドメインリソースを除去することで、利用可能な署名ドメインリソースを確定し、
前記利用可能な署名ドメインリソースをブロードキャストする、
ように配置される請求項２に記載の無線通信装置。
【請求項６】
前記処理回路はさらに、
前記時間情報に指示される終了時間の前に、
更新された利用可能な署名ドメインリソースを基地局から受信し、
前記更新された利用可能な署名ドメインリソースをブロードキャストする、
ように配置される請求項５に記載の無線通信装置。
【請求項７】
無線通信装置であって、
無認可周波数帯域の特定のサブチャネルでブロードキャスト情報を検出し、
前記特定サブチャネルで前記ブロードキャスト情報の検出に成功した場合に、１つ又は複数の利用可能な署名ドメインリソースから１つの署名ドメインリソースを選択してアップリンク伝送を実行する、
ように配置される処理回路を含む無線通信装置。
【請求項８】
前記処理回路はさらに、
前記１つ又は複数の利用可能な署名ドメインリソースを基地局から取得するか、又は、
前記ブロードキャスト情報に基づいて、前記１つ又は複数の利用可能な署名ドメインリソースを確定する、
ように配置される請求項７に記載の無線通信装置。
【請求項９】
無線通信装置であって、
無認可周波数帯域の特定のサブチャネルで、アップリンク伝送及び時間情報を受信し、前記時間情報に基づいて特定端末装置の前記特定サブチャネルに対する占用の終了時間を確定することができ、
前記終了時間の前に、前記アップリンク伝送に使用される署名ドメインリソースに基づいて、利用可能な署名ドメインリソースを更新する、
ように配置される処理回路を含む無線通信装置。
【請求項１０】
前記処理回路はさらに、
署名ドメインリソースライブラリから前記アップリンク伝送に使用される署名ドメインリソースを除去することによって、更新後の利用可能な署名ドメインリソースを確定する、
ように配置される請求項９に記載の無線通信装置。
【請求項１１】
前記処理回路はさらに、
前記終了時間の前に、認可周波数帯域において、更新後の利用可能な署名ドメインリソースをブロードキャストする、
ように配置される請求項９に記載の無線通信装置。
【請求項１２】
前記処理回路はさらに、
前記終了時間の前に、認可周波数帯域において、更新後の利用可能な署名ドメインリソースを前記特定端末装置に送信する、
ように配置される請求項９に記載の無線通信装置。 
【国際調査報告】
2020526056.tif 000011
2020526056.tif 000012
2020526056.tif 000013
2020526056.tif 000014